(57)【要約】【課題】外光が読取部に入射することを抑制できる、画像読取装置を提供する。【解決手段】メンテナンスカバー９は、ＡＤＦ筐体６に開閉可能に取り付けられている。メンテナンスカバー９は、開位置で上読取部４８を開放し、閉位置で上読取部４８を覆う。ＡＤＦ筐体６に設けられた第１遮蔽部９１，９２とメンテナンスカバー９に設けられた第２遮蔽部９３，９４との協働により、ＡＤＦ筐体６と閉位置に位置するメンテナンスカバー９との境界８１，８２，８３，８４，８５，８６から上読取部４８側への外光の進入が抑制される。【選択図】図３
2014120851.tif 000002
【特許請求の範囲】
【請求項１】
本体側カバーと、
前記本体側カバーに設けられ、原稿を搬送経路に沿って搬送する搬送部と、
前記本体側カバー内に設けられ、前記搬送経路を所定の搬送方向に搬送される原稿の画像を読み取る読取部と、
前記本体側カバーに取り付けられ、前記読取部を開放する開位置と前記読取部を覆う閉位置とに変位可能に設けられる開閉部材と、
前記本体側カバーに設けられる第１遮蔽部と、
前記開閉部材に設けられ、前記第１遮蔽部との協働により、前記本体側カバーと前記閉位置に位置する前記開閉部材との境界から前記読取部側への外光の進入を抑制する第２遮蔽部とを備える、画像読取装置。
【請求項２】
前記境界は、前記搬送方向から見て前記読取部と重なる位置に配置されている、請求項１に記載の画像読取装置。
【請求項３】
前記開閉部材は、前記搬送方向と直交する幅方向において、前記本体側カバーよりもサイズが小さく、かつ、前記読取部よりもサイズの小さい部分を含む、請求項１または２に記載の画像読取装置。
【請求項４】
前記本体側カバーは、前記開閉部材が前記閉位置に位置するときに、前記第２遮蔽部が接触する接触面を有し、
前記第１遮蔽部は、前記接触面と直交する高さ方向において、前記接触面に対して前記開閉部材と反対側に設けられ、前記閉位置に位置する前記開閉部材に対向する段差部を備える、請求項１〜３のいずれか一項に記載の画像読取装置。
【請求項５】
前記第１遮蔽部は、前記搬送方向および前記高さ方向と直交する幅方向において、前記段差部と同じ位置に設けられ、前記高さ方向に延びる延部を備える、請求項４に記載の画像読取装置。
【請求項６】
前記本体側カバーは、上側ほど窄まる形状をなし、
前記開閉部材は、前記本体側カバーの上端部に取り付けられ、前記閉位置で前記読取部を上方から覆う、請求項１〜５のいずれか一項に記載の画像読取装置。
【請求項７】
前記搬送経路は、相対的に上側に位置する上経路、相対的に下側に位置する下経路および前記上経路と前記下経路とを接続する湾曲経路を有するＵ字状に形成され、
前記読取部は、前記上経路および前記下経路の一方の下側に配置されて、前記上経路および前記下経路の一方を搬送される原稿の画像を読み取る第１の読取部であり、
前記上経路および前記下経路の他方の下側に配置されて、前記上経路および前記下経路の他方を搬送される原稿の画像を読み取る第２の読取部を備える、請求項１〜６のいずれか一項に記載の画像読取装置。
【請求項８】
前記開閉部材は、回動軸線まわりの回動により、前記開位置と前記閉位置とに開閉可能であり、
前記回動軸線は、前記湾曲経路に対して前記上経路および前記下経路と反対側に設けられている、請求項７に記載の画像読取装置。
【発明の詳細な説明】
【技術分野】
【０００１】
本発明は、画像読取装置に関し、とくに、大型の原稿を読み取ることが可能な画像読取装置に関する。
【背景技術】
【０００２】
特許文献１には、原稿が搬送経路を搬送される間に、その原稿の両面の画像を読み取ることができる画像読取装置が開示されている。
【０００３】
具体的に、特許文献１に開示された画像読取装置の筐体には、読み取り対象の原稿を保持する原稿台および読み取り済みの原稿を受ける排紙部が上下に設けられている。搬送経路は、原稿台から直線状に延びる第１経路と、第１経路の下側で排出部に向けて直線状に延びる第２経路と、第１経路と第２経路とを接続する湾曲状の湾曲経路とを含む。そして、画像読取装置は、２つの読取部を備える。第１の読取部は、第１経路の下側に配置されている。第２の読取部は、第２経路の下側に配置されている。原稿が搬送経路を搬送される間に、原稿の一方の面の画像が第１の読取部に読み取られ、原稿の他方の面の画像が第２の読取部に読み取られる。
【０００４】
また、筐体の上面には、メンテナンスカバーが読取部の主走査方向に延びる軸線まわりに回動可能に設けられている。メンテナンスカバーの回動により、メンテナンスカバーを第１経路および湾曲経路を開放する状態と第１経路および湾曲経路を閉塞する状態とに変位させることができる。そのため、第１経路または湾曲経路で原稿のジャムが発生した場合に、メンテナンスカバーを開くことにより、そのジャムを解消することができる。
【先行技術文献】
【特許文献】
【０００５】
【特許文献１】特開２０１１−２１１４８０号公報
【発明の概要】
【発明が解決しようとする課題】
【０００６】
このような構成では、筐体とメンテナンスカバーとの隙間から筐体内に外光が入り込むおそれがある。第１の読取部は、メンテナンスカバーの下側に配置されている。そのため、筐体とメンテナンスカバーとの隙間が読取部と主走査方向に重なる位置関係をなす場合、その隙間から入り込む外光が読取部に入射するおそれがある。読取部に外光が入射すると、読取部による画像の読み取りの精度が低下する。また、読取部においてシェーディング補正等の各種補正を行う際に、外光が読取部に入射することで、読取部の各種補正が正確に行えないという問題がある。
【０００７】
本発明の目的は、外光が読取部に入射することを抑制できる、画像読取装置を提供することである。
【課題を解決するための手段】
【０００８】
前記の目的を達成するため、請求項１に記載の画像読取装置は、本体側カバーと、前記本体側カバーに設けられ、原稿を搬送経路に沿って搬送する搬送部と、前記本体側カバー内に設けられ、前記搬送経路を所定の搬送方向に搬送される原稿の画像を読み取る読取部と、前記本体側カバーに取り付けられ、前記読取部を開放する開位置と前記読取部を覆う閉位置とに変位可能に設けられる開閉部材と、前記本体側カバーに設けられる第１遮蔽部と、前記開閉部材に設けられ、前記第１遮蔽部との協働により、前記本体側カバーと前記閉位置に位置する前記開閉部材との境界から前記読取部側への外光の進入を抑制する第２遮蔽部とを備える。
【０００９】
この構成によれば、開閉部材は、本体側カバーに開閉可能に取り付けられている。開閉部材は、開位置で読取部を開放し、閉位置で読取部を覆う。本体側カバーに設けられた第１遮蔽部と開閉部材に設けられた第２遮蔽部との協働により、本体側カバーと閉位置に位置する開閉部材との境界から読取部側への外光の進入が抑制される。これにより、外光が読取部に入射することを抑制できる。その結果、外光に起因する読取部の読取精度の低下を抑制することができ、読取部により、原稿の画像を高精度に読み取ることができる。また、読取部における各種補正を精度よく行うことができる。
【００１０】
境界は、搬送方向から見て読取部と重なる位置に配置されていてもよい。
【００１１】
境界と読取部とが搬送方向から見て重なる位置関係、つまり境界と読取部とが読取部の主走査方向に重なる位置関係をなしていても、第１遮蔽部と第２遮蔽部との協働により、境界から入り込む外光が読取部に入射することを抑制できる。そのため、開閉部材のサイズおよび形状が境界と読取部との位置関係による制約を受けることを抑制できる。その結果、開閉部材のサイズおよび形状の設計の自由度を増すことができる。
【００１２】
たとえば、読取部の主走査方向の長さに対して、本体側カバーの同方向の長さをほぼ同じにし、本体側カバーのサイズをなるべく小さくすることにより、装置としての小型化を図ることができる。
【００１３】
この場合、開閉部材は、搬送方向と直交する幅方向において、本体側カバーよりもサイズが小さく、かつ、読取部よりもサイズの小さい部分を含む。この構成においても、第１遮蔽部と第２遮蔽部との協働により、境界から入り込む外光が読取部に入射することを抑制できる。
【００１４】
よって、装置の小型化および読取部への外光の入射の抑制の両方を実現することができる。
【００１５】
本体側カバーは、開閉部材が閉位置に位置するときに、第２遮蔽部が接触する接触面を有し、第１遮蔽部は、接触面と直交する高さ方向において、接触面に対して開閉部材と反対側に設けられ、閉位置に位置する開閉部材に対向する段差部を備えていてもよい。
【００１６】
この構成によれば、開閉部材が閉位置に位置する状態で、第２遮蔽部により、本体側カバーと開閉部材との境界が外側から覆われる。また、本体側カバーと開閉部材との境界に、第１遮蔽部の段差部が内側から対向する。そのため、第１遮蔽部の段差部および第２遮蔽部により、本体側カバーと開閉部材との境界に高さ方向から入り込む外光を良好に遮蔽することができる。
【００１７】
第１遮蔽部は、搬送方向および高さ方向と直交する幅方向において、段差部と同じ位置に設けられ、高さ方向に延びる延部を備えていてもよい。
【００１８】
この構成によれば、延部は、本体側カバーと開閉部材との境界に対向する。そのため、延部により、本体側カバーと開閉部材との境界に搬送方向から入り込む外光を良好に遮蔽することができる。
【００１９】
本体側カバーは、上側ほど窄まる形状をなし、開閉部材は、本体側カバーの上端部に取り付けられ、閉位置で読取部を上方から覆ってもよい。
【００２０】
この構成によれば、本体側カバーが上側ほど窄まる形状をなしているので、装置の外観を小さく見せることができる。本体側カバーが上側ほど窄まっていると、本体側カバーの上端部に取り付けられる開閉部材は、本体側カバーの下部よりも読取部の主走査方向、つまり幅方向のサイズが小さくなる。これにより、境界と読取部とが搬送方向から見て重なる位置関係、つまり境界と読取部とが読取部の主走査方向に重なる位置関係となっても、第１遮蔽部と第２遮蔽部との協働により、境界から入り込む外光が読取部に入射することを抑制できる。
【００２１】
搬送経路は、相対的に上側に位置する上経路、相対的に下側に位置する下経路および上経路と下経路とを接続する湾曲経路を有するＵ字状に形成され、読取部は、上経路および下経路の一方の下側に配置されて、上経路および下経路の一方を搬送される原稿の画像を読み取る第１の読取部であり、上経路および下経路の他方の下側に配置されて、上経路および下経路の他方を搬送される原稿の画像を読み取る第２の読取部を備えていてもよい。
【００２２】
また、開閉部材は、回動軸線まわりの回動により、開位置と閉位置とに開閉可能であり、回動軸線は、湾曲経路に対して上経路および下経路と反対側に設けられていてもよい。
【発明の効果】
【００２３】
本発明によれば、本体側カバーに設けられた第１遮蔽部と開閉部材に設けられた第２遮蔽部との協働により、その本体側カバーと開閉部材との境界から読取部側への外光の進入が抑制される。これにより、外光が読取部に入射することを抑制できる。その結果、外光に起因する読取部の読取精度の低下を抑制することができ、読取部により、原稿の画像を良好に読み取ることができる。
【図面の簡単な説明】
【００２４】
【図１】本発明の一実施形態に係る画像読取装置３が備えられる複合機１の右前上側から見た斜視図である。
【図２】画像読取装置３の断面図である。
【図３】画像読取装置３の平面図であり、トレイ８が除去され、メンテナンスカバー９が閉じられた状態を示す。
【図４】画像読取装置３の平面図であり、トレイ８が除去され、メンテナンスカバー９が開かれた状態を示す。
【図５】画像読取装置３のＡＤＦ筐体６の右後上側から見た斜視図であり、メンテナンスカバー９が開かれた状態を示す。
【図６】ＡＤＦ筐体６の右前上側から見た斜視図であり、メンテナンスカバー９が開かれた状態を示す。
【図７】図５に示される二点鎖線Ａで囲まれる部分の斜視図である。
【図８】図６に示される二点鎖線Ｂで囲まれる部分の斜視図である。
【発明を実施するための形態】
【００２５】
以下では、本発明の実施の形態について、添付図面を参照しつつ詳細に説明する。
【００２６】
＜外観構成＞
【００２７】
図１に示されるように、本実施形態の複合機１は、画像形成装置２および画像読取装置３を含む。
【００２８】
画像形成装置２は、シートを収容可能な供給カセット４を備える。なお、本実施形態の複合機１では、上下二段の供給カセットを備えている。画像形成装置２は、供給カセット４から搬送されてくるシートに微滴化したインクを直接に噴射して、シートに画像を形成する、インクジェット方式を採用したものであってもよい。また、画像形成装置２は、供給カセット４から搬送されてくるシートにトナー像を転写および定着して、シートに画像を形成する、電子写真方式を採用したものであってもよい。
【００２９】
画像読取装置３は、スキャナ筐体５、本体側カバーの一例としてのＡＤＦ筐体６、操作パネル７、トレイ８、開閉部材の一例としてのメンテナンスカバー９およびストッパ１０を備える。
【００３０】
なお、以下の説明では、スキャナ筐体５に対するＡＤＦ筐体６側を上側とし、平面視でスキャナ筐体５の中央に対する操作パネル７側を前側として、上下、左右および前後の各方向を規定する。そして、図１以降の各図では、矢印で方向を表示する。
【００３１】
スキャナ筐体５は、画像形成装置２の上側に配置されている。
【００３２】
ＡＤＦ筐体６は、前側板１１および後側板１２を備える。前側板１１および後側板１２は、互いに前後方向に間隔を空けて配置されている。前側板１１の約左半分の左側部分１５は、残りの右側部分１６よりも上下方向の寸法が大きい。そのため、左側部分１５の上端は、右側部分１６の上端よりも高い位置に位置している。また、後側板１２の約左半分の左側部分１７は、残りの右側部分１８よりも上下方向の寸法が大きい。そのため、左側部分１７の上端は、右側部分１８の上端よりも高い位置に位置している。また、前側板１１および後側板１２は、画像読取装置３がコンパクトに見えるように、それぞれ上側ほど前後方向の内側に位置するように傾斜している。
【００３３】
操作パネル７は、スキャナ筐体５の前面１９に配設されている。操作パネル７は、使用者により各種設定のために操作され、情報の入力を受け、入力された情報を複合機１全体を制御する制御部（図示せず）に伝送する。また、操作パネル７は、その設定された内容などの情報を表示する表示部を含む。
【００３４】
トレイ８は、前側板１１の左側部分１５と後側板１２の左側部分１７との間に架設されている。トレイ８は、図１に示されるカバー位置と図２に示されるトレイ位置との間で、左側部分１５，１７の各右上端部間で前後方向に延びる回動軸線２０まわりに回動可能に設けられている。トレイ８は、カバー位置において、左側部分１５，１７の各上端縁に沿って延び、メンテナンスカバー９を上側から覆う。トレイ８は、トレイ位置において、左側部分１５，１７の各右端部間から右上がりに傾斜状に延びる。
【００３５】
メンテナンスカバー９は、前側板１１の左側部分１５と後側板１２の左側部分１７との間に架設されている。メンテナンスカバー９は、図３に示される閉位置と図４に示される開位置との間で、左側部分１５，１７の各左下端部間で前後方向に延びる回動軸線２１まわりに回動可能に設けられている。メンテナンスカバー９は、閉位置において、左側部分１５，１７の左端縁に沿って延びる側部２２と、側部２２の上端から左側部分１５，１７の上端縁に沿って延びる上部２３とを備える。側部２２は、画像読取装置３がコンパクトに見えるように、それぞれ上側ほど前後方向の内側に位置するように傾斜している。メンテナンスカバー９が開位置に位置する状態で、上部２３が略鉛直方向に延びる。
【００３６】
ストッパ１０は、ＡＤＦ筐体６の上面２４に形成された凹部２５に配置されている。ストッパ１０は、収納位置と展開位置との間で、凹部２５の右端部で前後方向に延びる回動軸線まわりに回動可能に設けられている。ストッパ１０は、収納位置において、凹部２５内に収納される。ストッパ１０は、展開位置において、凹部２５の右端部から右上がりに延出する。
【００３７】
＜内部構成＞
【００３８】
ＡＤＦ筐体６は、図２に示されるように、内部フレーム３１および下フレーム３２を備える。下フレーム３２は、内部フレーム３１の下側に設けられている。
【００３９】
内部フレーム３１は、閉位置に位置するメンテナンスカバー９の上部２３の下側に設けられている。また、内部フレーム３１は、上側内部フレーム３１Ａと下側内部フレーム３１Ｂとを有している。上側内部フレーム３１Ａと下側内部フレーム３１Ｂとは、メンテナンスカバー９と下フレーム３２との間で、上下に重なるように配置されている。
【００４０】
メンテナンスカバー９の内面と上側内部フレーム３１Ａとの間には、間隔が空けられている。また、下側内部フレーム３１Ｂと下フレーム３２との間にも、間隔が空けられている。これにより、メンテナンスカバー９の内面と上側内部フレーム３１Ａとの間および下フレーム３２と下側内部フレーム３１Ｂとの間には、シートＳが搬送される搬送経路３３が形成されている。搬送経路３３は、相対的に上側に位置する上経路３４、相対的に下側に位置する下経路３５および上経路３４と下経路３５とを接続する湾曲経路３６を有している。上経路３４は、メンテナンスカバー９の内面と上側内部フレーム３１Ａとの間で左右方向に延びる空間である。下経路３５は、下側内部フレーム３１Ｂと下フレーム３２との間で左右方向に延びる空間である。湾曲経路３６は、後述する第２ＬＦローラ４９の周面に沿って湾曲した空間である。
【００４１】
画像読取装置３は、湾曲経路３３におけるシートＳの搬送方向に沿って、供給部４１、１対のシート幅ガイド４２、供給ローラ４３、分離ローラ４４、分離片４５、第１従動ローラ４６、第１ＬＦローラ４７、上読取部４８、第２ＬＦローラ４９、第２従動ローラ５０、第３従動ローラ５１、下読取部５２、１対の排出ローラ５３および排出部５４を備える。
【００４２】
なお、以下の説明において、とくに明記しない限りは、メンテナンスカバー９が閉位置に位置しているものとする。
【００４３】
供給部４１は、メンテナンスカバー９の右端部の下側に間隔を空けて設けられている。供給部４１は、右上がりに延びている。画像読取の対象であるシートＳは、供給部４１とトレイ位置に位置するトレイ８とに跨がって保持される。
【００４４】
１対のシート幅ガイド４２は、供給部４１に設けられている。１対のシート幅ガイド４２は、互いに前後方向に向かい合っている。１対のシート幅ガイド４２は、それらの間の中央を基準として、互いに同じ移動量で近接および離間可能に構成されている。１対のシート幅ガイド４２の間隔は、供給部４１の上面４１に保持されるシートＳの前後方向の幅に合わせて調節される。シートＳは、１対のシート幅ガイド４２の間に右側から差し込まれる。これにより、シートＳは、供給部４１上にセンタ基準で保持される。
【００４５】
供給ローラ４３は、内部フレーム３１と後側板１２の左側部分１７の前側に配置される非図示の金属フレームとの間に、前後方向に延びる回転軸線まわりに回転可能に保持されている。供給ローラ４３の周面は、上経路３４において、供給部４１の左端部に上側から当接している。
【００４６】
分離ローラ４４は、供給ローラ４３の左側に配置されている。分離ローラ４４は、内部フレーム３１と後側板１２の左側部分１７の前側に配置される非図示の金属フレームとの間に、前後方向に延びる回転軸線まわりに回転可能に保持されている。
【００４７】
分離片４５は、分離ローラ４４の下側に配置されている。分離片４５は、内部フレーム３１に保持されている。分離片４５は、上経路３４において、分離ローラ４４の周面に下側から弾性的に当接している。
【００４８】
第１ＬＦローラ４７は、分離ローラ４４の左側に配置されている。第１ＬＦローラ４７は、内部フレーム３１と後側板１２の左側部分１７の前側に配置される非図示の金属フレームとの間に、前後方向に延びる回転軸線まわりに回転可能に保持されている。
【００４９】
第１従動ローラ４６は、第１ＬＦローラ４７の下側に配置されている。第１従動ローラ４６は、内部フレーム３１に、前後方向に延びる回転軸線まわりに回転可能に保持されている。第１従動ローラ４６の周面は、上経路３４において、第１ＬＦローラ４７の周面に当接している。第１従動ローラ４６は、第１ＬＦローラ４７の回転に従動して回転する。
【００５０】
上読取部４８は、密着イメージセンサモジュール６１、コンタクトガラス６２および原稿押さえ部材６３を備える。
【００５１】
密着イメージセンサモジュール６１は、第１ＬＦローラ４７の左側に配置されている。密着イメージセンサモジュール６１は、内部フレーム３１に下側に凹んで形成された凹部５８に収容されている。密着イメージセンサモジュール６１は、凹部５８内で前後方向に延びている。密着イメージセンサモジュール６１の内部には、たとえば、ＬＥＤ光源、レンズおよびイメージセンサなどが設けられている。
【００５２】
コンタクトガラス６２は、凹部５８を閉塞するように、密着イメージセンサモジュール６１の上側に設けられている。コンタクトガラス６２の上面は、上経路３４に臨んでいる。
【００５３】
原稿押さえ部材６３は、コンタクトガラス６２の上側に配置されている。原稿押さえ部材６３は、メンテナンスカバー９に付勢部材を介して弾性的に支持されている。原稿押さえ部材６３は、上経路３４において、コンタクトガラス６２の上面に弾性的に当接している。
【００５４】
第２ＬＦローラ４９は、内部フレーム３１と後側板１２の左側部分１７の前側に配置される非図示の金属フレームとの間に、前後方向に延びる回転軸線まわりに回転可能に保持されている。
【００５５】
第２従動ローラ５０は、第２ＬＦローラ４９の上側に配置されている。第２従動ローラ５０は、メンテナンスカバー９に、前後方向に延びる回転軸線まわりに回転可能に保持されている。第２従動ローラ５０の周面は、湾曲経路３６において、第２ＬＦローラ４９の周面に当接している。第２従動ローラ５０は、第２ＬＦローラ４９の回転に従動して回転する。
【００５６】
第３従動ローラ５１は、第２ＬＦローラ４９の左下側に配置されている。第３従動ローラ５０は、下フレーム３２の左端部に、前後方向に延びる回転軸線まわりに回転可能に保持されている。第３従動ローラ５１の周面は、湾曲経路３６において、第２ＬＦローラ４９の周面に当接している。第３従動ローラ５１は、第２ＬＦローラ４９の回転に従動して回転する。
【００５７】
下読取部５２は、密着イメージセンサモジュール６４、コンタクトガラス６５および原稿押さえ部材６６を備える。
【００５８】
密着イメージセンサモジュール６４は、スキャナ筐体５に、左右方向に移動可能に設けられている。密着イメージセンサモジュール６４は、前後方向に延びている。密着イメージセンサモジュール６４の内部には、たとえば、ＬＥＤ光源、レンズおよびイメージセンサなどが設けられている。密着イメージセンサモジュール６４は、ＡＤＦ読取時および画像読取装置１の非使用時などにおいて、コンタクトガラス６５の左端部の下側に配置されている。
【００５９】
コンタクトガラス６５は、スキャナ筐体５の上面を覆うように設けられている。
【００６０】
原稿押さえ部材６６は、コンタクトガラス６５の左端部の上側に配置されている。原稿押さえ部材６６は、下側内部フレーム３１Ｂに付勢部材を介して弾性的に支持されている。原稿押さえ部材６６は、下経路３５において、コンタクトガラス６５の上面に弾性的に当接している。
【００６１】
１対の排出ローラ５３は、供給部４１の左端部の下側に配置されている。上側の排出ローラ５３は、内部フレーム３１と後側板１２の左側部分１７の前側に配置される非図示の金属フレームとの間に、前後方向に延びる回転軸線まわりに回転可能に保持されている。下側の排出ローラ５３は、下フレーム３２に、前後方向に延びる回転軸線まわりに回転可能に保持されている。下側の排出ローラ５３の周面は、下経路３５において、上側の排出ローラ５３の周面に当接している。下側の排出ローラ５３は、上側の排出ローラ５３の回転に従動して回転する。
【００６２】
排出部５４は、供給部４１の下側に設けられている。排出部５４の右端部は、下経路３５の出口より低い位置に位置している。排出部５４は、右上がりに延びている。
【００６３】
＜画像読取動作＞
【００６４】
画像読取装置１におけるシートＳの画像の読み取りの際には、図２に示されるように、トレイ８がトレイ位置に開かれ、メンテナンスカバ−９が閉位置に閉じられる。前述したように、シートＳは、供給部４１およびトレイ８上にセンタ基準で保持される。この状態におけるシートＳの上面を表面とし、シートＳの下面を裏面とする。
【００６５】
シートＳの先端部は、供給ローラ４３の周面下側に配置される。供給ローラ４３が前側から見て時計回りに回転されると、供給部４１上の最上のシートＳの上面と供給ローラ４３の周面との摩擦力などにより、そのシートＳが分離ローラ４４と分離片４５との間に送り込まれる。
【００６６】
分離ローラ４４は、前側から見て時計回りに回転されている。シートＳの先端部が分離ローラ４４と分離片４５との間に挟まれたときに、シートＳがたとえば１枚ずつに分離され、１枚のシートＳが分離ローラ４４と分離片４５との間を通過して、上経路３４を搬送される。
【００６７】
第１ＬＦローラ４７は、前側から見て時計回りに回転されている。第１従動ローラ４６は、第１ＬＦローラ４７の回転に伴って、前側から見て反時計回りに回転している。上経路３４を搬送されるシートＳの先端部が第１ＬＦローラ４７および第１従動ローラ４６の各周面の当接部分に到達すると、第１ＬＦローラ４７および第１従動ローラ４６からシートＳに搬送力が付与される。
【００６８】
そして、シートＳは、コンタクトガラス６２の上面と原稿押さえ部材６３との間を通過する。このとき、コンタクトガラス６２上のシートＳに、密着イメージセンサモジュール６１のＬＥＤ光源から光が照射される。そして、シートＳでの反射光が密着イメージセンサモジュール６１のイメージセンサに受けられることにより、シートＳの裏面に描かれている画像が読み取られる。
【００６９】
その後、シートＳの先端部は、第１ＬＦローラ４７および第１従動ローラ４６から付与される搬送力により、上経路３４から湾曲経路３６に送り込まれる。第２ＬＦローラ４９は、前側から見て反時計回りに回転される。第２従動ローラ５０および第３従動ローラ５１は、前側から見て時計回りに回転する。シートＳの先端部が第２ＬＦローラ４９および第２従動ローラ５０の各周面の当接部分に到達すると、第２ＬＦローラ４９および第２従動ローラ５０からシートＳに搬送力が付与される。その後、シートＳの先端部が第２ＬＦローラ４９および第３従動ローラ５１の各周面の当接部分に到達すると、第２ＬＦローラ４９および第３従動ローラ５１からシートＳに搬送力が付与され、湾曲経路３６から下経路３５に送り込まれる。なお、第２従動ローラ５０から第３従動ローラまでの間は第２ＬＦローラ４９と対向する側部２２の内壁面、及び下フレーム３２の内壁面が湾曲形状を成し、湾曲経路３６を形成することで、シートＳが下経路３５に向けて搬送される。
【００７０】
下経路３５に送り込まれたシートＳは、コンタクトガラス６５の左端部の上面と原稿押さえ部材６６との間を通過する。このとき、コンタクトガラス６５の左端部上のシートＳに、密着イメージセンサモジュール６４のＬＥＤ光源から光が照射される。そして、シートＳでの反射光が密着イメージセンサモジュール６４のイメージセンサに受けられることにより、シートＳの表面に描かれている画像が読み取られる。
【００７１】
上側の排出ローラ５３は、前側から見て反時計回りに回転される。下側の排出ローラ５３は、上側の排出ローラ５３の回転に伴って、前側から見て時計回りに回転している。シートＳの先端部が１対の排出ローラ５３の各周面の当接部分に到達すると、１対の排出ローラ５３からシートＳに搬送力が付与され、排出部５４に排出される。
【００７２】
＜外光進入抑制構造＞
【００７３】
ＡＤＦ筐体６は、図３および図４に示されるように、接触面の一例としての前接触面７１および後接触面７２を有している。
【００７４】
前接触面７１は、前側板１１の左側部分１５の後側に形成されている。前接触面７１は、左側部分１５の上面よりも下側の位置において、左側部分１５に沿って水平に、左側部分１５における左端から左右方向の中央付近まで延びている。
【００７５】
なお、「水平」は、複合機１が水平面上に設置されたときに、コンタクトガラス６５の上面が延びる方向である。
【００７６】
後接触面７２は、後側板１２の左側部分１７の前側に形成されている。後接触面７２は、左側部分１７の上面よりも下側の位置において、左側部分１７に沿って水平に、左側部分１７における左端から左右方向の中央付近まで延びている。
【００７７】
また、ＡＤＦ筐体６は、図７および図８に示されるように、前内壁面７３および後内壁面７４を有している。
【００７８】
前内壁面７３は、前接触面７１の後端縁から下方に延びている。
【００７９】
後内壁面７４は、後接触面７２の前端縁から下方に延びている。
【００８０】
前接触面７１および前内壁面７３の左端部には、それらに跨がって、前内壁面７３から前側に凹む凹部７５が形成されている。また、後接触面７２および後内壁面７４には、凹部７５と左右方向における同じ位置に、後内壁面７４から後側に凹む凹部７６が形成されている。コンタクトガラス６２の前端部および後端部は、それぞれ凹部７５，７６に配置されている。
【００８１】
画像読取装置３は、ＡＤＦ筐体６と閉位置に位置するメンテナンスカバー９との境界８１，８２，８３，８４，８５，８６（図３参照）から入り込む外光を遮蔽するため、ＡＤＦ筐体６側に形成される第１遮蔽部９１，９２、およびメンテナンスカバー９側に形成される第２遮蔽部９３，９４を備える。
【００８２】
第１遮蔽部９１は、図５および図７に示されるように、前内壁面７３に設けられている。第１遮蔽部９１は、段差部９５および延部９６を備える。段差部９５は、前接触面７１よりも下側の位置において、前内壁面７３から突出し、水平に延びている。延部９６は、段差部９５の右端部から下方に延びている。延部９６は、左右方向において、凹部７５の左端と同じ位置に形成されている。
【００８３】
第１遮蔽部９２は、図６および図８に示されるように、後内壁面７４に設けられている。第１遮蔽部９２は、段差部９７および延部９８を備える。段差部９７は、後接触面７２よりも下側の位置において、後内壁面７４から突出し、水平に延びている。延部９６は、段差部７５の右端部から下方に延びている。延部９８は、左右方向において、凹部７６の左端と同じ位置に形成されている。
【００８４】
第２遮蔽部９３，９４は、図３に示されるように、それぞれメンテナンスカバー９の上部２３の前端部および後端部に、メンテナンスカバー９と一体的に形成されている。第２遮蔽部９３，９４は、メンテナンスカバー９の上部２３における側部２２と同じ幅の部分からそれぞれ前側および後側に張り出している。第２遮蔽部９３の端縁は、上部２３の左端縁から右側に離間した位置から前側および左側に膨出するように湾曲し、前側板１１の左側部分１５に沿って右側に延びている。第２遮蔽部９４の端縁は、上部２３の左端縁から右側に離間した位置から後側および左側に膨出するように湾曲し、後側板１２の左側部分１７に沿って右側に延びている。
【００８５】
ＡＤＦ筐体６とメンテナンスカバー９の境界８１である前接触面７１の後端縁は、上読取部４８のコンタクトガラス６２の前端部の上側に位置する。また、ＡＤＦ筐体６とメンテナンスカバー９の境界８２である後接触面７２の前端縁は、コンタクトガラス６２の後端部の上側に位置する。
【００８６】
メンテナンスカバー９が閉位置に位置する状態では、メンテナンスカバー９の上部２３および第２遮蔽部９３が前接触面７１に上側から接触する。これにより、境界８１は、メンテナンスカバー９の上部２３および第２遮蔽部９３と上下方向に重なる。また、メンテナンスカバー９の上部２３および第２遮蔽部９４が後接触面７２に上側から接触する。これにより、境界８２は、メンテナンスカバー９の上部２３および第２遮蔽部９４と上下方向に重なる。よって、境界８１，８２は、メンテナンスカバー９の上部２３および第２遮蔽部９３，９４に覆い隠されている。そのため、境界８１，８２からＡＤＦ筐体６内に外光が入り込むことはない。
【００８７】
前接触面７１の後端縁の左端部とメンテナンスカバー９の上部２３の前端縁の左端部との境界８３は、平面視において、コンタクトガラス６２の前端部の左側に位置する。また、後接触面７２の前端縁の左端部とメンテナンスカバー９の上部２３の後端縁の左端部との境界８４は、平面視において、コンタクトガラス６２の後端部の左側に位置する。
【００８８】
メンテナンスカバー９が閉位置に位置する状態では、第１遮蔽部９１の段差部９５に対して、メンテナンスカバー９の上部２３の前端縁の左端部に沿った境界８３が上側から重なる。また、第１遮蔽部９２の段差部９７に対して、メンテナンスカバー９の上部２３の後端縁の左端部に沿った境界８３が上側から重なる。
【００８９】
これにより、境界８３，８４からＡＤＦ筐体６内に向けて入り込む外光は、それぞれ第１遮蔽部９１の段差部９５および第１遮蔽部９２の段差部９７によって遮蔽される。
【００９０】
図３に示されるように、ＡＤＦ筐体６とメンテナンスカバー９の側部２２の前端縁との境界８５は、コンタクトガラス６２の前端部の左側に位置する。また、ＡＤＦ筐体６とメンテナンスカバー９の側部２２の後端縁との境界８６は、コンタクトガラス６２の後端部の左側に位置する。
【００９１】
境界８５，８６からＡＤＦ筐体６内に入り込む外光は、コンタクトガラス６２に向かう途中で、それぞれ第１遮蔽部９１の延部９６および第１遮蔽部９２の延部９８によって遮蔽される。
【００９２】
＜作用効果＞
【００９３】
以上のように、メンテナンスカバー９は、ＡＤＦ筐体６に開閉可能に取り付けられている。メンテナンスカバー９は、開位置で上読取部４８を開放し、閉位置で上読取部４８を覆う。ＡＤＦ筐体６に設けられた第１遮蔽部９１，９２とメンテナンスカバー９に設けられた第２遮蔽部９３，９４との協働により、ＡＤＦ筐体６と閉位置に位置するメンテナンスカバー９との境界８１，８２，８３，８４，８５，８６から上読取部４８側への外光の進入が抑制される。これにより、外光が上読取部４８に入射することを抑制できる。その結果、外光に起因する上読取部４８の読取精度の低下を抑制することができ、上読取部４８により、原稿の画像を高精度に読み取ることができる。
【００９４】
前側板１１および後側板１２は、画像読取装置３がコンパクトに見えるように、それぞれ上側ほど前後方向の内側に位置するように傾斜している。ＡＤＦ筐体６が上側ほど窄まっていると、ＡＤＦ筐体６の上端部に取り付けられるメンテナンスカバー９は、ＡＤＦ筐体６の下部よりも前後方向のサイズが小さくなる。これにより、境界８１，８２，８３，８４，８５，８６と上読取部４８とが左右方向から見て重なる位置関係、つまり境界８１，８２，８３，８４，８５，８６と上読取部４８とが上読取部４８の主走査方向である前後方向に重なる位置関係となっても、第１遮蔽部９１，９２と第２遮蔽部９３，９４との協働により、境界８１，８２，８３，８４，８５，８６から入り込む外光が上読取部４８に入射することを抑制できる。
【００９５】
そのため、メンテナンスカバー９のサイズおよび形状が境界８１，８２，８３，８４，８５，８６と上読取部４８との位置関係による制約を受けることを抑制できる。その結果、メンテナンスカバー９のサイズおよび形状の設計の自由度を増すことができる。
【００９６】
具体的には、メンテナンスカバー９が閉位置に位置する状態で、第２遮蔽部９３，９４により、ＡＤＦ筐体６とメンテナンスカバー９との境界８１，８２が外側から覆われる。また、ＡＤＦ筐体６とメンテナンスカバー９との境界８３，８４に、第１遮蔽部９１，９２の段差部９５，９７が内側から対向する。そのため、第１遮蔽部９１，９２の段差部９５，９７および第２遮蔽部９３，９４により、ＡＤＦ筐体６とメンテナンスカバー９との境界に高さ方向から入り込む外光を良好に遮蔽することができる。
【００９７】
また、延部９６，９８は、ＡＤＦ筐体６とメンテナンスカバー９との境界９５，９６に対向する。そのため、延部９６，９８により、ＡＤＦ筐体６とメンテナンスカバー９との境界９５，９６に左右方向から入り込む外光を良好に遮蔽することができる。
【００９８】
＜変形例＞
【００９９】
以上、本発明の一実施形態について説明したが、本発明は、他の形態で実施することもできる。
【０１００】
たとえば、前述の実施形態では、シートＳが搬送される間に、シートＳの両面の画像を読み取ることができる構成の画像読取装置３を取り上げた。しかしながら、本発明は、シートＳが搬送される間に、シートＳの一方面の画像が読み取られる構成の画像読取装置に適用されてもよい。
【０１０１】
その他、前述の構成には、特許請求の範囲に記載された事項の範囲で種々の設計変更を施すことが可能である。
【符号の説明】
【０１０２】
１    複合機
２    画像形成装置
３    画像読取装置
８    トレイ
９    メンテナンスカバー
４８  上読取部
５２  下読取部
９１  第１遮蔽部
９２  第１遮蔽部
９３  第２遮蔽部
９４  第２遮蔽部
９５  段差部
９７  段差部
９６  延部
９８  延部
【図１】
2014120851.tif 000003
【図２】
2014120851.tif 000004
【図３】
2014120851.tif 000005
【図４】
2014120851.tif 000006
【図５】
2014120851.tif 000007
【図６】
2014120851.tif 000008
【図７】
2014120851.tif 000009
【図８】
2014120851.tif 000010